(57)【要約】【課題】  商品を自動的に包装することが出来、かつ包装した商品を外部からの衝撃より守ることが出来る包装容器を目的とする。【解決手段】  台ブロック２の両側にヒンジ３を介して左右側ブロック４、５を夫々一体的に連設し、かつこれ等のブロック２、４、５の内面に夫々商品Ａの所定部分を収納し得る凹所６、７、８を設けて構成した包装容器１の構造である。【選択図】      図１
2006131249.tif 000002
【特許請求の範囲】
【請求項１】
商品を囲繞するプラスチック製の包装容器に於て、商品の底部を載置し得る台ブロックと、該商品の左側或は右側を夫々完全に覆うことが出来る左側ブロック及び右側ブロックの３つのブロックよりなり、かつ該中央ブロックの左右に夫々左側ブロック及び右側ブロックを配すると共に、各ブロックを相互にヒンジを介して一体的に折曲自在に連結して構成したことを特徴とした包装容器。
【請求項２】
前記台ブロック及び左右側ブロックの夫々の外周部に衝撃吸収用の外壁を設けると共に、各ブロック内に設けられた商品収納部の外周面と前記外壁との間に所定の隙間を形成したことを特徴とした請求項１の包装容器。
【請求項３】
前記各ブロックの商品収納部の高さを前記外壁の高さより小さく形成したことを特徴とした請求項２の包装容器。
【請求項４】
前記左右側ブロックの一方のブロックの内面外周に突条縁を設け、かつ他方のブロックの内面に該突条縁内周面に嵌入し得る突出面を設けて構成したことを特徴とした請求項１乃至請求項３の包装容器。
【請求項５】
前記突条縁内周面と前記突出面の外周面に夫々所定の逆テーパーを設けて構成したことを特徴とした請求項４の包装容器。
【請求項６】
前記左右側ブロックの商品収納部の内部所定位置に夫々商品の突出部を支持し得る段部を設け、かつ該段部の上面にテーパーを設けて構成したことを特徴とした請求項１乃至請求項５の包装容器。 
【発明の詳細な説明】
【技術分野】
【０００１】
本発明は、比較的衝撃に弱い商品を包装して安全に保管及び輸送し得るプラスチック製の包装容器に係り、特に商品をヒンジを介して一体に構成された台ブロック、左右側ブロックよりなる３個のブロックで完全に囲繞することが出来、かつ簡単に自動包装することが可能な包装容器に関するものである。
【背景技術】
【０００２】
従来、衝撃に弱いガラス製品、精密機械、薬品、カメラ、時計等の高価商品（以下単に商品と総称する）を保管或は輸送するためには、商品を紙、エアーキャップ等で包んだ後で、段ボール箱等の容器に収納して、保管或は搬送していた。
【０００３】
しかるに、商品をエアーキャップ等で包んだ後に、段ボール箱に収納する場合には、作業性が極めて悪く、かつ機械による自動包装が困難である問題があった。また、最近になっては、後述のように商品をプラスチック容器内に収納して保管或は輸送する手段も実施されるようになって来た。
【０００４】
プラスチック製の商品を収納し得る容器としては、例えば、特開平９−２４０７６９号公報（特許文献１）、特開平１０−３５６３７号公報（特許文献２）、特開２０００−３２１７２１号公報（特許文献３）、特開２００１−１６３３６２号公報（特許文献４）、特開２００３−２４６３６２号公報（特許文献５）に示すような技術が知られている。
【０００５】
これ等の特許文献１乃至特許文献５に係る技術は、いずれもプラスチックフィルム或はプラスチックシートを真空成形方法を用いて容器を形成する技術であって、凹所を有するトレイ形状の容器本体と蓋体とをヒンジを介して相互に連結するか或は相互に容器本体と蓋体とを独立して構成した構造の容器である。
【０００６】
【特許文献１】特開平９−２４０７６９号公報
【特許文献２】特開平１０−３５６３７号公報
【特許文献３】特開２０００−３２１７２１号公報
【特許文献４】特開２００１−１６３３６２号公報
【特許文献５】特開２００３−２４６３６２号公報
【発明の開示】
【発明が解決しようとする課題】
【０００７】
前述の特許文献１乃至特許文献５に記載された包装容器は、夫々凹所を有する容器本体と蓋体とより構成されているので、これ等の包装容器に商品を収納する場合には、商品を横に倒した状態で収納しなければならず、従ってベルトコンベア等の方式を用いた自動包装方法に於ては、商品を安定した状態で効率良く包装することが困難である問題があった。
【０００８】
また、前述の特許文献に記載された技術は、特許文献４の技術を除いて、包装容器内に収納した商品が包装容器の外周壁に隣接する凹所内に収納されているので、保管や輸送時に包装容器に外部から衝撃が発生すると、その衝撃が直接収納した商品に伝達されるので、包装容器内の商品を簡単に損傷させてしまう問題があった。
【０００９】
前記特許文献４に於ては、容器本体と蓋体とよりなる包装容器の内部空間に２枚の透明シートを上下に並列して掛け渡し、これ等の透明シートの間に商品を収納することによって商品を衝撃から保護するように構成しているが、このように包装容器の内部空間に２枚の透明シートを掛け渡す作業は困難であると共に、これ等の２枚の透明シートの間に商品を収納する作業も困難である等の多くの問題があった。
【００１０】
本発明に係る包装容器は、前述の従来の多くの欠点に鑑み開発された全く新しい技術であって、特に商品の底部を載置して該商品を安定した状態で起立し得る台ブロックの左右にヒンジを介して、商品の左右を夫々覆うことが出来る左右側ブロックを連設して構成したプラスチック製の包装容器の技術を提供するものである。
【課題を解決するための手段】
【００１１】
本発明に係る包装容器は、前述の従来の問題点を根本的に改善した発明であって、その第１発明の要旨は、商品を囲繞するプラスチック製の包装容器に於て、商品の底部を載置し得る台ブロックと、該商品の左側或は右側を夫々完全に覆うことが出来る左側ブロック及び右側ブロックの３つのブロックよりなり、かつ該中央ブロックの左右に夫々左側ブロック及び右側ブロックを配すると共に、各ブロックを相互にヒンジを介して一体的に折曲自在に連結して構成したことを特徴とした包装容器である。
【００１２】
また、第２発明の要旨は、前記台ブロック及び左右側ブロックの夫々の外周部に衝撃吸収用の外壁を設けると共に、各ブロック内に設けられた商品収納部の外周面と前記外壁との間に所定の隙間を形成したことを特徴とした第１発明の包装容器である。
【００１３】
また、第３発明の要旨は、前記各ブロックの商品収納部の高さを前記外壁の高さより小さく形成したことを特徴とした第２発明の包装容器である。さらに、第４発明の要旨は、前記左右側ブロックの一方のブロックの内面外周に突条縁を設け、かつ他方のブロックの内面に該突条縁内周面に嵌入し得る突出面を設けて構成したことを特徴とした第１発明乃至第３発明の包装容器である。
【００１４】
また、第５発明の要旨は、前記突条縁内周面と前記突出面の外周面に夫々所定の逆テーパーを設けて構成したことを特徴とした第４発明の包装容器である。さらに、第６発明の要旨は、前記左右側ブロックの商品収納部の内部所定位置に夫々商品の突出部を支持し得る段部を設け、かつ該段部の上面にテーパーを設けて構成したことを特徴とした第１発明乃至第５発明の包装容器である。
【発明の効果】
【００１５】
前述の第１発明の包装容器に於ては、全体を３つのブロックで構成し、かつ中央部に台ブロックを配置したので、商品を包装容器内に収納する際に、商品を起立した状態のままでこの台ブロック上に載置することが出来る。かつその後で台ブロックの両側に設けられた左側ブロック及び右側ブロックを起こして両者が合うように閉じることによって、商品を左右両側から安定した状態で梱包することが出来る。従って、コンベアシステム等を用いることによって、商品を起立した状態で自動的に包装することが出来る。
【００１６】
前記第２発明の包装容器に於ては、台ブロック及び左右側ブロックの夫々の外周部に衝撃吸収用の外壁を設け、かつ各ブロック内に設けられた商品収納部の外周面と該外壁との間に所定の隙間を形成したので、輸送時等に包装容器に衝撃が加わった場合にも、この衝撃を前記外壁で吸収することが出来、これによって包装容器内に収納された商品を保護することが出来る。
【００１７】
前記第３発明の包装容器に於ては、前述の各ブロックに設けられた商品収納部の高さを前記外壁の高さより小さくして、該商品収納部が外壁の外側縁よりも内側に来るようにしたので、該商品収納部の外面が包装容器の周りに配置される物品に直接接触することを避けることが出来る。
【００１８】
前記第４発明の包装容器に於ては、左右側ブロックのいずれかのブロックの内面外周に突条縁を起立突設し、かつ他方のブロックの内面に前記突条縁の内周面に嵌入し得る突出面を設けて構成したので、該左右側ブロックの内面を合わせた際に、該突出面を突条縁内に嵌入させて両者を密着させた状態で接合することが出来る。
【００１９】
前記第５発明の包装容器に於ては、第４発明の包装容器の突条縁の内周面と突出面の外周面とに夫々所定の逆テーパーを設けたので、これ等の逆テーパーを組合せて噛合わせることによって、突条縁内に嵌入された突出面をロックし、これによって左右側ブロックを安定した状態で完全に閉じることが出来る。
【００２０】
前記第６発明に於ては、前記左右側ブロックの商品収納部の所定位置に商品の突出部を支持し得る段部を設けたので、この段部によって収納した商品の突出部を支持して該商品を安定させることが出来る。さらに、前記段部に所定のテーパーを設けたので、左右側ブロックを相互に合わせて閉じる際に、これ等のテーパーの作用によって商品を徐々に上昇させて持ち上げ、商品の底面を台ブロックの載置面より浮き上がらせることが出来る。従って、商品の底部をより安定した状態で保護することが出来る。
【発明を実施するための最良の形態】
【００２１】
図により、本発明に係る包装容器の一実施例を具体的に説明すると、図１は本発明に係る包装容器を左右に開いた状態の斜視図、図２は図１の包装容器の展開平面図、図３は第２の包装容器の側面図、図４は図３の縦断面説明図、図５は図１の包装容器に商品を載置した状態の斜視図、図６は本発明の包装容器で商品を覆う状態の断面図である。
【００２２】
図１乃至図５に於て、１は本発明に係る包装容器であって、プラスチックシートを真空成形することによって構成されている。台ブロック２の左右に夫々ヒンジ３を介して左側ブロック４及び右側ブロック５が一体的に連設されている。前記台ブロック２の上面には商品の底部を載置収納し得る凹部６が設けられ、かつ左右側ブロック４、５の内面には商品の左右を夫々収納し得る凹部７、８が設けられている。
【００２３】
従って、図４に示す如く、台ブロック２の上面の凹部６に載置収納された商品Ａの底部を除くほぼ全体は、左右側ブロック４、５の凹部７、８の中に完全に挿入されるように構成されている。該凹部７、８の所定位置には、前記商品Ａの両側部に突設された突出部Ａ１、Ａ２を下方から支持し得る段部９、１０が設けられている。
【００２４】
前記台ブロック２及び左右側ブロック４、５の外周部には夫々衝撃吸収用の外壁２ａ、４ａ、５ａが設けられている。かつ前述のように各ブロック内に設けられた凹部６、７、８よりなる商品収納部の外周面と前記外壁２ａ、４ａ、５ａとの間には、特に図５によって明らかな如く、巾広の隙間１１が設けられている。
【００２５】
前記外壁２ａ、４ａ、５ａの高さは、特に図５に示す如く、凹部６、７、８よりなる商品収納部の外周面の高さよりも大きく形成されている。従って、包装容器１の台ブロック２及び左右側ブロック４、５の裏面側に他の物品等を隣接して配置した際には、外壁２ａ、４ａ、５ａの先端縁は該物品等に当接されるが、商品収納部の外周面は該物品等に接触しないように構成されている。
【００２６】
前記右側ブロック５の内面外周には、特に図１に示す如く、突条縁１２が起立突設されている。また、左側ブロック４の内面には、該突条縁１２の内周面に嵌入し得る突出面１３が設けられている。従って、左右ブロック４、５の内面を夫々つき合わせて閉じた際には、前記突出面１３が突条縁１２の内周面に嵌入され、これによって左右側ブロック４、５が安定した状態で閉鎖されるように構成されている。
【００２７】
前記突条縁１２の内周面及び突出面１３の外周面には夫々逆テーパー１２ａ及び逆テーパー１３ａを設けて構成したので、左右側ブロック４、５を合わせて突条縁１２の内周面に突出面１３の外周面を強く押して嵌入した際には、これ等の逆テーパー１２ａ、１３ａが相互に噛合されるので、これによって両方の左右側ブロック４、５をロックすることが出来る。
【００２８】
前記左右側ブロック４、５の凹部７、８内には、夫々商品Ａの両側に突設された突出部Ａ１、Ａ２を下方から支持することが出来る段部９、１０が設けられている。
【００２９】
また、前記左右側ブロック４、５の凹部７、８に設けた段部９、１０の上面には、夫々テーパー９ａ、１０ａが設けられている。従って、凹部７、８内に商品Ａを収納し、これ等の段部９、１０で商品Ａの突出部Ａ１、Ａ２を支持した際には、前記テーパー９ａ、１０ａの作用で台ブロック２の凹部６内に載置された商品Ａを上昇させ、商品Ａの底面を該凹部６の底面より浮き上がらせることが出来る。このように、商品Ａの底部を台ブロック２より浮き上がらせることによって、この商品Ａの底部を衝撃からさらに保護することが出来る。
【産業上の利用可能性】
【００３０】
本発明に係る包装容器は、一般の商品の外に、産業機械に使用される部品、高価な医療品等の包装に広く利用することが出来る。
【図面の簡単な説明】
【００３１】
【図１】本発明に係る包装容器を左右に開いた状態の斜視図である。
【図２】図１の包装容器の展開平面図である。
【図３】第２の包装容器の側面図である。
【図４】図３の縦断面説明図である。
【図５】図１の包装容器に商品を載置した状態の斜視図である。
【図６】本発明の包装容器で商品を覆う状態の断面図である。
【符号の説明】
【００３２】
Ａ          ・・・商品
Ａ１        ・・・突出部
Ａ２        ・・・突出部
１          ・・・包装容器
２          ・・・台ブロック
２ａ        ・・・外壁
３          ・・・ヒンジ
４          ・・・左側ブロック
４ａ        ・・・外壁
５          ・・・右側ブロック
５ａ        ・・・外壁
６          ・・・凹部
７          ・・・凹部
８          ・・・凹部
９          ・・・段部
９ａ        ・・・テーパー
１０        ・・・段部
１０ａ      ・・・テーパー
１１        ・・・隙間
１２        ・・・突条縁
１２ａ      ・・・逆テーパー
１３        ・・・突出面
１３ａ      ・・・逆テーパー
【図１】
2006131249.tif 000003
【図２】
2006131249.tif 000004
【図３】
2006131249.tif 000005
【図４】
2006131249.tif 000006
【図５】
2006131249.tif 000007
【図６】
2006131249.tif 000008